【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
ワイヤレス通信ネットワークにおけるモバイルデバイスによる測定値報告のための方法であって、
サービングセルから測定値構成メッセージを受信することと、
前記測定値構成メッセージから報告値を判断することと、前記報告値が、前記サービングセルに送信されるべき測定値報告の数を示す、
前記報告値によって示された測定値報告の前記数に基づいて、前記サービングセルに測定値報告を送るより前に少なくとも１つの近隣セルの信号測定結果が利用可能になるのを待つべきかどうかを判断することと
を備える、方法。
【請求項２】
前記報告値に基づいて、前記測定値報告中に前記少なくとも１つの近隣セルの前記信号測定結果を含めるべきかどうかを判断することをさらに備え、
または前記少なくとも１つの近隣セルの前記信号測定結果が、前記少なくとも１つの近隣セルのための最も強い信号測定値を備え、または前記方法は、前記少なくとも１つの近隣セルへの前記モバイルデバイスのハンドオーバのために前記サービングセルからコマンドを受信することをさらに備える、請求項１に記載の方法。
【請求項３】
前記報告値が、前記サービングセルに送信されるべき複数の測定値報告を示し、前記方法は、
前記サービングセルに送信されるべき前記複数の測定値報告を示す前記報告値に基づいて、前記少なくとも１つの近隣セルの前記信号測定結果が利用可能になるのを待つことなしに前記測定値報告を送ること
をさらに備える、請求項１に記載の方法。
【請求項４】
待つべきかどうかの前記判断は、少なくとも１つのサービングセルの１つの信号測定値が利用可能になったかどうかにさらに基づき、
特に、待つことなしに前記測定値報告を送ることは、（ｉ）前記少なくとも１つの近隣セルの前記信号測定結果が利用可能になったこと、または（ｉｉ）少なくとも１つのサービングセルの前記信号測定値が利用可能になったことのうちの前記少なくとも１つに応答して前記測定値報告を送ることを備える、請求項３に記載の方法。
【請求項５】
前記測定値構成メッセージ中の情報に基づいて、前記サービングセルまたは前記少なくとも１つの近隣セルのうちの少なくとも１つの少なくとも１つの信号測定値を取ることをさらに備え、
前記方法は、特に、
前記測定値報告を送った後に周期報告タイマーを開始することと、
前記少なくとも１つの近隣セルのための少なくとも１つの追加の測定値を取ることと、
前記周期報告タイマーの満了時に前記少なくとも１つの追加の測定値を含む少なくとも１つの追加の測定値報告メッセージを送ることと
をさらに備える、請求項３に記載の方法。
【請求項６】
前記報告値が、前記サービングセルに送信されるべき単一の測定値報告を示し、前記方法は、
前記単一の測定値報告を示す前記報告値に基づいて、前記信号測定結果が利用可能になるのを待った後に前記サービングセルに前記測定値報告を送ること、ここにおいて、前記測定値報告が前記少なくとも１つの近隣セルの前記信号測定結果を含む、
をさらに備え、
前記方法は、特に、前記信号測定結果を生成するために前記少なくとも１つの近隣セルの信号測定値を取ることをさらに備え、
または特に、待つべきかどうかの前記判断は、少なくとも１つのサービングセルの１つの信号測定値が利用可能になったかどうかにさらに基づき、
さらに特に、前記測定値報告を送ることは、前記少なくとも１つの近隣セルの前記信号測定結果が利用可能になったことと、少なくとも１つのサービングセルの前記信号測定値が利用可能になったことの両方に応答して、前記測定値報告を送ることを備える、請求項１に記載の方法。
【請求項７】
前記報告値が、前記モバイルデバイスから前記サービングセルへの単一の報告メッセージまたは複数の報告メッセージの送信についての要求を示す報告量パラメータを備え、
前記方法は、特に、前記報告量パラメータを備える無線リソース制御（ＲＲＣ）接続再構成メッセージを介して前記測定値構成メッセージを受信することをさらに備え、
さらに特に、前記ＲＲＣ接続再構成メッセージが目的パラメータをさらに備え、待つべきかどうかの前記判断は、前記目的パラメータが最も強い信号測定値を報告するように前記モバイルデバイスに示すかどうかにさらに基づく、請求項１に記載の方法。
【請求項８】
ワイヤレス通信ネットワークにおける測定値報告のために構成された装置であって、
サービングセルから測定値構成メッセージを受信するための手段と、
前記測定値構成メッセージから報告値を判断するための手段と、前記報告値が、前記サービングセルに送信されるべき測定値報告の数を示す、
前記報告値によって示された測定値報告の前記数に基づいて、前記サービングセルに測定値報告を送るより前に前記少なくとも１つの近隣セルの信号測定結果が利用可能になるのを待つべきかどうかを判断するための手段と
を備える、装置。
【請求項９】
前記報告値に基づいて、前記測定値報告中に前記少なくとも１つの近隣セルの前記信号測定結果を含めるべきかどうかを判断するための手段をさらに備え、
または、前記少なくとも１つの近隣セルの前記信号測定結果が、前記少なくとも１つの近隣セルのための最も強い信号測定値を備える、
または、前記装置は、前記少なくとも１つの近隣セルへの前記モバイルデバイスのハンドオーバのために前記サービングセルからコマンドを受信するための手段をさらに備える、請求項８に記載の装置。
【請求項１０】
前記報告値が、前記サービングセルに送信されるべき複数の測定値報告を示し、前記装置は、
前記サービングセルに送信されるべき前記複数の測定値報告を示す前記報告値に基づいて、前記少なくとも１つの近隣セルの前記信号測定結果が利用可能になるのを待つことなしに前記測定値報告を送るための手段
をさらに備える、請求項８に記載の装置。
【請求項１１】
待つべきかどうかの前記判断は、少なくとも１つのサービングセルの１つの信号測定値が利用可能になったかどうかにさらに基づき、
特に、待つことなしに前記測定値報告を送るための前記手段は、（ｉ）前記少なくとも１つの近隣セルの前記信号測定結果が利用可能になったこと、または（ｉｉ）少なくとも１つのサービングセルの前記１つの信号測定値が利用可能になったことのうちの前記少なくとも１つに応答して前記測定値報告を送るためにさらに構成される、請求項１０に記載の装置。
【請求項１２】
前記測定値構成メッセージ中の情報に基づいて、前記サービングセルまたは前記少なくとも１つの近隣セルのうちの少なくとも１つの少なくとも１つの信号測定値を取るための手段をさらに備え、
前記装置は、特に、前記測定値報告を送った後に周期報告タイマーを開始するための手段と、
前記少なくとも１つの近隣セルのための少なくとも１つの追加の測定値を取るための手段と、
前記周期報告タイマーの満了時に前記少なくとも１つの追加の測定値を含む少なくとも１つの追加の測定値報告メッセージを送るための手段と
をさらに備える、請求項１０に記載の装置。
【請求項１３】
前記報告値が、前記サービングセルに送信されるべき単一の測定値報告を示し、前記装置は、
前記単一の測定値報告を示す前記報告値に基づいて、前記信号測定結果が利用可能になるのを待った後に前記サービングセルに前記測定値報告を送るための手段
をさらに備え、ここにおいて、前記測定値報告が前記少なくとも１つの近隣セルの前記信号測定結果を含み、
前記装置は、特に、前記信号測定結果を生成するために前記少なくとも１つの近隣セルの信号測定値を取るための手段をさらに備え、
または特に、待つべきかどうかの前記判断は、少なくとも１つのサービングセルの１つの信号測定値が利用可能になったかどうかにさらに基づき、
さらに特に、前記測定値報告を送るための前記手段は、前記少なくとも１つの近隣セルの前記信号測定結果が利用可能になったことと、少なくとも１つのサービングセルの前記１つの信号測定値が利用可能になったことの両方に応答して、前記測定値報告を送るためにさらに構成された、請求項８に記載の装置。
【請求項１４】
前記報告値が、前記モバイルデバイスから前記サービングセルへの単一の報告メッセージまたは複数の報告メッセージの送信についての要求を示す報告量パラメータを備え、
前記装置は、特に、前記報告量パラメータを備える無線リソース制御（ＲＲＣ）接続再構成メッセージを介して前記測定値構成メッセージを受信するための手段をさらに備え、
さらに特に、前記ＲＲＣ接続再構成メッセージが目的パラメータをさらに備え、待つべきかどうかの前記判断は、前記目的パラメータが最も強い信号測定値を報告するように前記モバイルデバイスに示すかどうかにさらに基づく、請求項８に記載の装置。
【請求項１５】
コンピュータプログラムであって、コンピュータ上で実行されるとき、請求項１から７に記載の方法のうちの任意の１つに従って方法を実行するための命令を備える、コンピュータプログラム。
【手続補正２】
【補正対象書類名】明細書
【補正対象項目名】００６３
【補正方法】変更
【補正の内容】
【００６３】
[0071]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ワイヤレス通信ネットワークにおけるモバイルデバイスによる測定値報告のための方法であって、
サービングセルから測定値構成メッセージを受信することと、
前記測定値構成メッセージから報告値を判断することと、前記報告値が、前記サービングセルに送信されるべき測定値報告の数を示す、
前記報告値によって示された測定値報告の前記数に基づいて、前記サービングセルに測定値報告を送るより前に少なくとも１つの近隣セルの信号測定結果が利用可能になるのを待つべきかどうかを判断することと
を備える、方法。
［Ｃ２］
前記報告値に基づいて、前記測定値報告中に前記少なくとも１つの近隣セルの前記信号測定結果を含めるべきかどうかを判断することをさらに備える、Ｃ１に記載の方法。
［Ｃ３］
前記報告値が、前記サービングセルに送信されるべき複数の測定値報告を示し、前記方法は、
前記サービングセルに送信されるべき前記複数の測定値報告を示す前記報告値に基づいて、前記少なくとも１つの近隣セルの前記信号測定結果が利用可能になるのを待つことなしに前記測定値報告を送ること
をさらに備える、Ｃ１に記載の方法。
［Ｃ４］
待つべきかどうかの前記判断は、少なくとも１つのサービングセルの１つの信号測定値が利用可能になったかどうかにさらに基づく、Ｃ３に記載の方法。
［Ｃ５］
待つことなしに前記測定値報告を送ることは、（ｉ）前記少なくとも１つの近隣セルの前記信号測定結果が利用可能になったこと、または（ｉｉ）少なくとも１つのサービングセルの前記信号測定値が利用可能になったことのうちの前記少なくとも１つに応答して前記測定値報告を送ることを備える、Ｃ４に記載の方法。
［Ｃ６］
前記測定値構成メッセージ中の情報に基づいて、前記サービングセルまたは前記少なくとも１つの近隣セルのうちの少なくとも１つの少なくとも１つの信号測定値を取ることをさらに備える、Ｃ３に記載の方法。
［Ｃ７］
前記測定値報告を送った後に周期報告タイマーを開始することと、
前記少なくとも１つの近隣セルのための少なくとも１つの追加の測定値を取ることと、
前記周期報告タイマーの満了時に前記少なくとも１つの追加の測定値を含む少なくとも１つの追加の測定値報告メッセージを送ることと
をさらに備える、Ｃ６に記載の方法。
［Ｃ８］
前記報告値が、前記サービングセルに送信されるべき単一の測定値報告を示し、前記方法は、
前記単一の測定値報告を示す前記報告値に基づいて、前記信号測定結果が利用可能になるのを待った後に前記サービングセルに前記測定値報告を送ること、ここにおいて、前記測定値報告が前記少なくとも１つの近隣セルの前記信号測定結果を含む、
をさらに備える、Ｃ１に記載の方法。
［Ｃ９］
前記信号測定結果を生成するために前記少なくとも１つの近隣セルの信号測定値を取ることをさらに備える、Ｃ８に記載の方法。
［Ｃ１０］
待つべきかどうかの前記判断は、少なくとも１つのサービングセルの１つの信号測定値が利用可能になったかどうかにさらに基づく、Ｃ８に記載の方法。
［Ｃ１１］
前記測定値報告を送ることは、前記少なくとも１つの近隣セルの前記信号測定結果が利用可能になったことと、少なくとも１つのサービングセルの前記信号測定値が利用可能になったことの両方に応答して、前記測定値報告を送ることを備える、Ｃ１０に記載の方法。
［Ｃ１２］
前記報告値が、前記モバイルデバイスから前記サービングセルへの単一の報告メッセージまたは複数の報告メッセージの送信についての要求を示す報告量パラメータを備える、Ｃ１に記載の方法。
［Ｃ１３］
前記報告量パラメータを備える無線リソース制御（ＲＲＣ）接続再構成メッセージを介して前記測定値構成メッセージを受信することをさらに備える、Ｃ１２に記載の方法。
［Ｃ１４］
前記ＲＲＣ接続再構成メッセージが目的パラメータをさらに備え、待つべきかどうかの前記判断は、前記目的パラメータが最も強い信号測定値を報告するように前記モバイルデバイスに示すかどうかにさらに基づく、Ｃ１３に記載の方法。
［Ｃ１５］
前記少なくとも１つの近隣セルの前記信号測定結果が、前記少なくとも１つの近隣セルのための最も強い信号測定値を備える、Ｃ１に記載の方法。
［Ｃ１６］
前記少なくとも１つの近隣セルへの前記モバイルデバイスのハンドオーバのために前記サービングセルからコマンドを受信することをさらに備える、Ｃ１に記載の方法。
［Ｃ１７］
ワイヤレス通信ネットワークにおける測定値報告のために構成された装置であって、
サービングセルから測定値構成メッセージを受信するための手段と、前記測定値構成メッセージから報告値を判断するための手段と、前記報告値が、前記サービングセルに送信されるべき測定値報告の数を示す、
前記報告値によって示された測定値報告の前記数に基づいて、前記サービングセルに測定値報告を送るより前に前記少なくとも１つの近隣セルの信号測定結果が利用可能になるのを待つべきかどうかを判断するための手段と
を備える、装置。
［Ｃ１８］
前記報告値に基づいて、前記測定値報告中に前記少なくとも１つの近隣セルの前記信号測定結果を含めるべきかどうかを判断するための手段をさらに備える、Ｃ１７に記載の装置。
［Ｃ１９］
前記報告値が、前記サービングセルに送信されるべき複数の測定値報告を示し、前記装置は、
前記サービングセルに送信されるべき前記複数の測定値報告を示す前記報告値に基づいて、前記少なくとも１つの近隣セルの前記信号測定結果が利用可能になるのを待つことなしに前記測定値報告を送るための手段
をさらに備える、Ｃ１７に記載の装置。
［Ｃ２０］
待つべきかどうかの前記判断は、少なくとも１つのサービングセルの１つの信号測定値が利用可能になったかどうかにさらに基づく、Ｃ１９に記載の装置。
［Ｃ２１］
待つことなしに前記測定値報告を送るための前記手段は、（ｉ）前記少なくとも１つの近隣セルの前記信号測定結果が利用可能になったこと、または（ｉｉ）少なくとも１つのサービングセルの前記１つの信号測定値が利用可能になったことのうちの前記少なくとも１つに応答して前記測定値報告を送るためにさらに構成された、Ｃ２０に記載の装置。
［Ｃ２２］
前記測定値構成メッセージ中の情報に基づいて、前記サービングセルまたは前記少なくとも１つの近隣セルのうちの少なくとも１つの少なくとも１つの信号測定値を取るための手段をさらに備える、Ｃ１９に記載の装置。
［Ｃ２３］
前記測定値報告を送った後に周期報告タイマーを開始するための手段と、
前記少なくとも１つの近隣セルのための少なくとも１つの追加の測定値を取るための手段と、
前記周期報告タイマーの満了時に前記少なくとも１つの追加の測定値を含む少なくとも１つの追加の測定値報告メッセージを送るための手段と
をさらに備える、Ｃ２２に記載の装置。
［Ｃ２４］
前記報告値が、前記サービングセルに送信されるべき単一の測定値報告を示し、前記装置は、
前記単一の測定値報告を示す前記報告値に基づいて、前記信号測定結果が利用可能になるのを待った後に前記サービングセルに前記測定値報告を送るための手段
をさらに備え、ここにおいて、前記測定値報告が前記少なくとも１つの近隣セルの前記信号測定結果を含む、Ｃ１７に記載の装置。
［Ｃ２５］
前記信号測定結果を生成するために前記少なくとも１つの近隣セルの信号測定値を取るための手段をさらに備える、Ｃ２４に記載の装置。
［Ｃ２６］
待つべきかどうかの前記判断は、少なくとも１つのサービングセルの１つの信号測定値が利用可能になったかどうかにさらに基づく、Ｃ２４に記載の装置。
［Ｃ２７］
前記測定値報告を送るための前記手段は、前記少なくとも１つの近隣セルの前記信号測定結果が利用可能になったことと、少なくとも１つのサービングセルの前記１つの信号測定値が利用可能になったことの両方に応答して、前記測定値報告を送るためにさらに構成された、Ｃ２６に記載の装置。
［Ｃ２８］
前記報告値が、前記モバイルデバイスから前記サービングセルへの単一の報告メッセージまたは複数の報告メッセージの送信についての要求を示す報告量パラメータを備える、Ｃ１７に記載の装置。
［Ｃ２９］
前記報告量パラメータを備える無線リソース制御（ＲＲＣ）接続再構成メッセージを介して前記測定値構成メッセージを受信するための手段をさらに備える、Ｃ２８に記載の装置。
［Ｃ３０］
前記ＲＲＣ接続再構成メッセージが目的パラメータをさらに備え、待つべきかどうかの前記判断は、前記目的パラメータが最も強い信号測定値を報告するように前記モバイルデバイスに示すかどうかにさらに基づく、Ｃ２９に記載の装置。
［Ｃ３１］
前記少なくとも１つの近隣セルの前記信号測定結果が、前記少なくとも１つの近隣セルのための最も強い信号測定値を備える、Ｃ１７に記載の装置。
［Ｃ３２］
前記少なくとも１つの近隣セルへの前記モバイルデバイスのハンドオーバのために前記サービングセルからコマンドを受信するための手段をさらに備える、Ｃ１７に記載の装置。
［Ｃ３３］
ワイヤレス通信ネットワークにおける測定値報告のために構成された装置であって、
サービングセルから測定値構成メッセージを受信することと、前記サービングセルと少なくとも１つの近隣セルとの信号測定値を取得することと
を行うように構成されたトランシーバと、
前記測定値構成メッセージから報告値を判断することと、前記報告値が、前記サービングセルに送信されるべき測定値報告の数を示す、
前記報告値によって示された測定値報告の前記数に基づいて、前記サービングセルに測定値報告を送るより前に前記少なくとも１つの近隣セルの信号測定結果が利用可能になるのを待つべきかどうかを判断することと
を行うように構成された少なくとも１つのプロセッサと、
前記少なくとも１つのプロセッサに結合された、データを記憶するためのメモリと
を備える、装置。
［Ｃ３４］
前記少なくとも１つのプロセッサが、前記報告値に基づいて、前記測定値報告中に前記少なくとも１つの近隣セルの前記信号測定結果を含めるべきかどうかを判断するように構成された、Ｃ３３に記載の装置。
［Ｃ３５］
前記報告値が、前記サービングセルに送信されるべき複数の測定値報告を示し、前記トランシーバは、
前記サービングセルに送信されるべき前記複数の測定値報告を示す前記報告値に基づいて、前記少なくとも１つの近隣セルの前記信号測定結果が利用可能になるのを待つことなしに前記測定値報告を送ること
を行うようにさらに構成された、Ｃ３３に記載の装置。
［Ｃ３６］
待つべきかどうかの前記判断は、少なくとも１つのサービングセルの１つの信号測定値が利用可能になったかどうかにさらに基づく、Ｃ３５に記載の装置。
［Ｃ３７］
待つことなしに前記測定値報告を送ることは、（ｉ）前記少なくとも１つの近隣セルの前記信号測定結果が利用可能になったこと、または（ｉｉ）少なくとも１つのサービングセルの前記１つの信号測定値が利用可能になったことのうちの前記少なくとも１つに応答して前記測定値報告を送ることを備える、Ｃ３６に記載の装置。
［Ｃ３８］
前記少なくとも１つのプロセッサが、
前記測定値構成メッセージ中の情報に基づいて、前記サービングセルまたは前記少なくとも１つの近隣セルのうちの少なくとも１つの少なくとも１つの信号測定値を取るようにさらに構成された、Ｃ３５に記載の装置。
［Ｃ３９］
前記少なくとも１つのプロセッサが、
前記測定値報告を送った後に周期報告タイマーを開始することと、
前記少なくとも１つの近隣セルのための少なくとも１つの追加の測定値を取ることと
を行うようにさらに構成され、前記トランシーバが、
前記周期報告タイマーの満了時に前記少なくとも１つの追加の測定値を含む少なくとも１つの追加の測定値報告メッセージを送ること
を行うように構成された、Ｃ３８に記載の装置。
［Ｃ４０］
前記報告値が、前記サービングセルに送信されるべき単一の測定値報告を示し、前記トランシーバは、
前記単一の測定値報告を示す前記報告値に基づいて、前記信号測定結果が利用可能になるのを待った後に前記サービングセルに前記測定値報告を送ること
を行うようにさらに構成され、ここにおいて、前記測定値報告が前記少なくとも１つの近隣セルの前記信号測定結果を含む、Ｃ３３に記載の装置。
［Ｃ４１］
前記少なくとも１つのプロセッサが、前記信号測定結果を生成するために前記少なくとも１つの近隣セルの信号測定値を取るようにさらに構成された、Ｃ４０に記載の装置。
［Ｃ４２］
待つべきかどうかの前記判断は、少なくとも１つのサービングセルの１つの信号測定値が利用可能になったかどうかにさらに基づく、Ｃ４０に記載の装置。
［Ｃ４３］
前記測定値報告を送ることは、前記少なくとも１つの近隣セルの前記信号測定結果が利用可能になったことと、少なくとも１つのサービングセルの前記１つの信号測定値が利用可能になったことの両方に応答して、前記測定値報告を送ることを備える、Ｃ４２に記載の装置。
［Ｃ４４］
前記報告値が、前記モバイルデバイスから前記サービングセルへの単一の報告メッセージまたは複数の報告メッセージの送信についての要求を示す報告量パラメータを備える、Ｃ３３に記載の装置。
［Ｃ４５］
前記少なくとも１つのプロセッサが、
前記報告量パラメータを備える無線リソース制御（ＲＲＣ）接続再構成メッセージを介して前記測定値構成メッセージを受信すること
を行うようにさらに構成された、Ｃ４４に記載の装置。
［Ｃ４６］
前記ＲＲＣ接続再構成メッセージが目的パラメータをさらに備え、待つべきかどうかの前記判断は、前記目的パラメータが最も強い信号測定値を報告するように前記モバイルデバイスに示すかどうかにさらに基づく、Ｃ４５に記載の装置。
［Ｃ４７］
前記少なくとも１つの近隣セルの前記信号測定結果が、前記少なくとも１つの近隣セルのための最も強い信号測定値を備える、Ｃ３３に記載の装置。
［Ｃ４８］
前記少なくとも１つのプロセッサが、前記少なくとも１つの近隣セルへの前記モバイルデバイスのハンドオーバのために前記サービングセルからコマンドを受信するようにさらに構成された、Ｃ３３に記載の装置。
［Ｃ４９］
少なくとも１つのコンピュータに、
サービングセルから測定値構成メッセージを受信することと、
前記測定値構成メッセージから報告値を判断することと、前記報告値が、前記サービングセルに送信されるべき測定値報告の数を示す、
前記報告値によって示された測定値報告の前記数に基づいて、前記サービングセルに測定値報告を送るより前に少なくとも１つの近隣セルの信号測定結果が利用可能になるのを待つべきかどうかを判断することと
を行わせるためのコードを備えるコンピュータ可読媒体
を備えるコンピュータプログラム製品。
［Ｃ５０］
前記コンピュータ可読媒体が、前記少なくとも１つのコンピュータに、前記報告値に基づいて、前記測定値報告中に前記少なくとも１つの近隣セルの前記信号測定結果を含めるべきかどうかを判断することを行わせるためのコードをさらに備える、Ｃ４９に記載のコンピュータプログラム製品。
［Ｃ５１］
前記報告値が、前記サービングセルに送信されるべき複数の測定値報告を示し、前記コンピュータ可読媒体は、前記少なくとも１つのコンピュータに、前記サービングセルに送信されるべき前記複数の測定値報告を示す前記報告値に基づいて、前記少なくとも１つの近隣セルの前記信号測定結果が利用可能になるのを待つことなしに前記測定値報告を送ることを行わせるためのコードをさらに備える、Ｃ４９に記載のコンピュータプログラム製品。
［Ｃ５２］
待つべきかどうかの前記判断は、少なくとも１つのサービングセルの１つの信号測定値が利用可能になったかどうかにさらに基づく、Ｃ５１に記載のコンピュータプログラム製品。
［Ｃ５３］
待つことなしに前記測定値報告を送ることは、（ｉ）前記少なくとも１つの近隣セルの前記信号測定結果が利用可能になったこと、または（ｉｉ）少なくとも１つのサービングセルの前記１つの信号測定値が利用可能になったことのうちの前記少なくとも１つに応答して前記測定値報告を送ることを備える、Ｃ５２に記載のコンピュータプログラム製品。
［Ｃ５４］
前記コンピュータ可読媒体が、前記少なくとも１つのコンピュータに、
前記測定値構成メッセージ中の情報に基づいて、前記サービングセルまたは前記少なくとも１つの近隣セルのうちの少なくとも１つの少なくとも１つの信号測定値を取ることを行わせるためのコードをさらに備える、Ｃ５１に記載のコンピュータプログラム製品。
［Ｃ５５］
前記コンピュータ可読媒体が、前記少なくとも１つのコンピュータに、
前記測定値報告を送った後に周期報告タイマーを開始することと、
前記少なくとも１つの近隣セルのための少なくとも１つの追加の測定値を取ることと、
前記周期報告タイマーの満了時に前記少なくとも１つの追加の測定値を含む少なくとも１つの追加の測定値報告メッセージを送ることと
を行わせるためのコードをさらに備える、Ｃ５４に記載のコンピュータプログラム製品。
［Ｃ５６］
前記報告値が、前記サービングセルに送信されるべき単一の測定値報告を示し、前記コンピュータ可読媒体は、前記少なくとも１つのコンピュータに、前記単一の測定値報告を示す前記報告値に基づいて、前記信号測定結果が利用可能になるのを待った後に前記サービングセルに前記測定値報告を送ることを行わせるためのコードをさらに備え、ここにおいて、前記測定値報告が前記少なくとも１つの近隣セルの前記信号測定結果を含む、Ｃ４９に記載のコンピュータプログラム製品。
［Ｃ５７］
前記コンピュータ可読媒体が、前記少なくとも１つのコンピュータに、
前記信号測定結果を生成するために前記少なくとも１つの近隣セルの信号測定値を取ること
を行わせるためのコードをさらに備える、Ｃ５６に記載のコンピュータプログラム製品。
［Ｃ５８］
待つべきかどうかの前記判断は、少なくとも１つのサービングセルの１つの信号測定値が利用可能になったかどうかにさらに基づく、Ｃ５６に記載のコンピュータプログラム製品。
［Ｃ５９］
前記測定値報告を送ることは、前記少なくとも１つの近隣セルの前記信号測定結果が利用可能になったことと、少なくとも１つのサービングセルの前記１つの信号測定値が利用可能になったことの両方に応答して、前記測定値報告を送ることを備える、Ｃ５８に記載のコンピュータプログラム製品。